(57)【要約】【課題】フラット構造のタッチパネルを用いたものにおいてそのスイッチ応答位置を容易に判別することができるものとする。【解決手段】フラットな表面を備えたタッチパネル式の操作部２０の表面に、エンボスで形成されてスイッチ応答位置を囲む枠線５０を備える加飾シートが貼られている。スイッチ応答位置をエンボスからなる枠線で囲むことで触感によっても判別することができる。【選択図】図１
2008253943.tif 000002
【特許請求の範囲】
【請求項１】
タッチパネル式の操作部を備えるとともに、フラットな表面を備えた上記操作部の表面に、エンボスで形成されてスイッチ応答位置を囲む枠線を備える加飾シートが貼られていることを特徴とする電解水生成装置。
【請求項２】
操作部は一列に並ぶ複数のスイッチを備え、上記加飾シートは複数のスイッチのうちの中央に位置するスイッチの応答位置を囲む枠線の脇に凸部を備えていることを特徴とする請求項１記載の電解水生成装置。
【発明の詳細な説明】
【技術分野】
【０００１】
本発明は、電解水生成装置、殊にタッチパネル式の操作部の構造に関するものである。
【背景技術】
【０００２】
電解水生成装置においては、その止水と通水との切換のほかに、吐出する水をアルカリ性のものとするか酸性のものにするか、あるいは単に濾過しただけの浄水とするかの切換のための操作部を設けることになるが、この操作部としてフラット構造のタッチパネルを用いると、操作部まわりをすっきりと仕上げることができる。
【０００３】
このようなタッチパネルでは、その表面に加飾シートを配して、該加飾シートに上記タッチパネルにおけるスイッチの操作内容を表示するにあたり、加飾シートもフラットなシートを用いてスイッチ応答位置に上記操作内容の表示を行う。
【０００４】
しかし、上記スイッチ応答位置を例えば色で識別される領域として表示するとしても、加齢者にはスイッチ応答位置がわかりにくく、複数のスイッチを同時に押してしまうこともあり得る。
【特許文献１】特開平０５−００６１５３号公報
【発明の開示】
【発明が解決しようとする課題】
【０００５】
本発明は上記の従来の問題点に鑑みて発明したものであって、フラット構造のタッチパネルを用いたものにおいてもそのスイッチ応答位置を容易に判別することができる電解水生成装置を提供することを課題とするものである。
【課題を解決するための手段】
【０００６】
上記課題を解決するために本発明に係る電解水生成装置は、タッチパネル式の操作部を備えるとともに、フラットな表面を備えた上記操作部の表面に、エンボスで形成されてスイッチ応答位置を囲む枠線を備える加飾シートが貼られていることに特徴を有している。スイッチ応答位置をエンボスからなる枠線で囲むことで触感によっても判別することができるようにしたものである。
【０００７】
上記操作部が一列に並ぶ複数のスイッチを備えている場合、上記加飾シートは複数のスイッチのうちの中央に位置するスイッチの応答位置を囲む枠線の脇に凸部を備えたものとするのが好ましい。目の不自由な人でも中央位置のスイッチの識別が容易となる。
【発明の効果】
【０００８】
本発明は、加飾シートに設けたエンボスからなる枠線がスイッチ応答位置を囲んでいるために、スイッチ応答位置を触感で判別することができるものであり、フラット構造のタッチパネルにおけるスイッチ応答位置が加齢者にも容易に判別することができて、操作性を犠牲にすることなく、操作部まわりの美観向上を図ることができる。
【発明を実施するための最良の形態】
【０００９】
以下、本発明を添付図面に示す実施形態に基いて説明すると、図２は本発明に係る電解水生成装置の一例を示しており、濾過浄水部と電解槽と切換弁を備えて流し台９内に配設される本体１と、流し台９の上面に設置される水栓部２とからなり、本体１と水栓部２とは２本の接続管２１，２２及び信号線２３で接続されている。信号線２３は、水栓部２に設けた操作部２０と本体１内に設けた制御回路との接続用である。また、流し台９が備える蛇口８に至る水道配管の途中から分岐させた給水管３が本体１に接続されている。
【００１０】
上記水栓部２は、図１に示すように、上記接続管２１，２３に接続された放水口２４ａ，２４ｂを備えるとともに、その前面に操作部２０を備えている。止水／通水切換スイッチ２０ａ、アルカリ水吐出とするためのスイッチ２０ｂ、浄水吐出とするためのスイッチ２０ｃ、弱酸性水吐出とするためのスイッチ２０ｄ、リセット動作を行わせるためのスイッチ２０ｇのほか、吐出しているアルカリ水のアルカリ度を表示するための表示部２０ｅ、前記濾過浄水部の濾過用カートリッジの交換目安を表示するための表示部２０ｆ等を備えている。
【００１１】
上記各スイッチを有する上記操作部２０は、図３にも示すように、フラット構造のタッチパネル（接触式でも静電式のものでもよい）で形成されたもので、水栓部２における筐体２５内に固定されて筐体２５に設けた開口面にその表面を位置させることで、筐体２５外面との間に段差のないフラットな面を形成して、汚れなどが溜まりやすい部分が生じないようにしている。図３中の２７は通水路を備えるフレーム、２８は表示基板、２９は基板ホルダーである。また、上記操作部２０はその表面全面を静電防止のための絶縁性シート４で覆った上で筐体２５に取り付けて、表面にメッキが施された上記筐体２５とタッチパネルにおける電気回路との間の電気的絶縁距離を長くしている。
【００１２】
そして、操作部２０における図１に示す操作内容を示している表示は、上記絶縁性シート４の上に筐体２５の開口面を囲む部分にまで渡って貼り付けられた加飾シート５に色によっても識別することができるように施してある。また、ＰＥＴシートからなる上記加飾シートには、スイッチ対応位置上にある上記各表示を囲む枠線５０を設けてある。この枠線５０は、図３に示すように、加飾シート５にエンボス加工を施すことで形成したものであり、フラットなシートである加飾シート５に設けた高さ０．３ｍｍほどのエンボスからなる枠線５０によって、スイッチ対応位置が触感で判別することもできるようにする。このために加齢者や視覚弱者でも、スイッチ位置が明確なものとなっており、２つのスイッチを同時に押してしまうということがない。
【００１３】
また、タッチパネルで構成された操作部２０の各スイッチは上下に一列で並ぶものとなっているが、上下方向中央位置にあるスイッチ２０ｃを囲んでいる枠線５０の脇には、同じくエンボス加工によって形成した凸部５１を設けてある。加飾シート５の横の端を上下に指でなぞれば、凸部５１によって上下方向中央にあるスイッチ２０ｃの位置を判別することができるために、目の不自由な人でも中央位置のスイッチ２０ｃの識別が容易となっている。
【００１４】
枠線５０や凸部５１の高さは上記数値に限定されるものではなく、触感的にその存在が判るものであれば、どのような高さのものであってもよい。また、操作部２０における各スイッチの配置も図示例のものに限るものではない。
【図面の簡単な説明】
【００１５】
【図１】本発明の実施の形態の一例の水栓部の正面図である。
【図２】同上の全体構成を示す斜視図である。
【図３】同上の水栓部の水平断面図である。
【図４】同上の加飾シートを示すもので、(a)は正面図、(b)は拡大断面図である。
【符号の説明】
【００１６】
２  水栓部
５  加飾シート
２０  操作部
５０  枠線
５１  凸部
【図１】
2008253943.tif 000003
【図２】
2008253943.tif 000004
【図３】
2008253943.tif 000005
【図４】
2008253943.tif 000006